(57)【要約】【課題】オス金具に対してメス金具が偏心して挿入された場合にも、確実にオス金具の引抜けを防止可能なセグメントのリング継手を提供する。【解決手段】メス金具とピンボルトを備えるオス金具とよりなるリング継手であって、メス金具が、トンネル軸方向に延在する中空部を備える楔ケースと、楔ケースの中空部に配置される複数の楔金物およびバックアップ材を備え、楔ケースの中空部は、端面側に配置される先端部が、基端部より縮径されて中間部に傾斜面を備え、楔金物は、中空部にピンボルトが挿入された状態で、楔金物の外周面が傾斜面に接するとともに、楔金物の内周面がピンボルトに接し、かつ楔金物が複数でピンボルトを囲う位置に配置され、バックアップ材は、楔ケースと同心であって楔金物の基端部側に配置されるリング形状の弾性部材よりなり、先端部側にスリットが複数設けられることを特徴とする。【選択図】図１
2018100500.tif 000002
【特許請求の範囲】
【請求項１】
セグメントのトンネル軸方向に向かい合う端面の一方に埋設されるメス金具と、前記向かい合う端面の他方からトンネル軸方向に突出して設置されるピンボルトを備えるオス金具と、よりなるリング継手であって、
前記メス金具が、前記トンネル軸方向に延在する中空部を備える楔ケースと、該楔ケースの中空部に配置される複数の楔金物およびバックアップ材を備え、
前記楔ケースの中空部は、前記セグメントの端面側に配置される先端部が、基端部より縮径されて中間部に傾斜面を備え、
前記楔金物は、前記中空部に前記ピンボルトが挿入された状態で、該楔金物の外周面が前記傾斜面に接するとともに、該楔金物の内周面が前記ピンボルトに接し、かつ該楔金物が複数で前記ピンボルトを囲う位置に配置され、
前記バックアップ材は、前記楔ケースと同心であって前記楔金物の基端部側に配置されるリング形状の弾性部材よりなり、前記先端部側にスリットが複数設けられることを特徴とするリング継手。
【請求項２】
請求項１に記載のリング継手において、
前記スリットが、前記楔金物と同数以上設けられることを特徴とするリング継手。
【請求項３】
請求項１または２に記載のリング継手において、
前記ピンボルトの外周面と前記楔金物の内周面に、粗面が形成されることを特徴とするリング継手。
【請求項４】
請求項１から３のいずれか１項に記載のリング継手において、
前記傾斜面のテーパーが、１／５以上１／３以下であることを特徴とするリング継手。
【発明の詳細な説明】
【技術分野】
【０００１】
本発明は、トンネルの覆工体を構成するセグメントを連結するためのリング継手に関する。
【背景技術】
【０００２】
シールド工法を採用してトンネルを構築する場合、切羽の掘進に応じてその後方にて複数のセグメントをトンネル円周方向に接続してセグメントリングを構成し、このセグメントリングをトンネル軸方向に接続して筒状の覆工体を形成する。そして、セグメントリングをトンネル軸方向に接続するにあたり、その接続面には、継手が設けられている。
【０００３】
例えば、特許文献１の従来技術に開示されている継手は、接続されるべき一方のセグメントの接続端面に突設されるピンと、他方のセグメントの接続端面に設けられるピン継手部材を備えている。また、ピン継手部材は、ピンが挿入される開口側が縮径された錘状のケーシングと、ケーシング内に内装された複数のクサビと、複数のクサビを支持するとともに、該クサビに開口側に向かう付勢力を作用させる１つの弾性体とを備えている。
【０００４】
これらは、ケーシング内にピンが挿入されると、ピンを囲うように配置される複数のクサビも、ピンとともにケーシング内を移動しようとするが、クサビは弾性体に支持されているため、弾性体の付勢力によりケーシングの開口側に押し戻されて、ケーシングの内周面とピンの外周面との間に食い込む。これにより、ピンは、複数のクサビを介してケーシングに固定され、引抜けることはない。
【先行技術文献】
【特許文献】
【０００５】
【特許文献１】特開平０９−１２５８８２号公報
【発明の概要】
【発明が解決しようとする課題】
【０００６】
上記のようなクサビ効果は、ピンをピン継手部材に対して同心となるように挿入した場合に、高い効果を発揮するが、トンネル工事の作業現場において、両者の軸心を合致させることは難しく、ピン継手部材に対してピンが偏心した状態で挿入される事態が生じやすい。この場合、クサビがケーシングとピンとの間で噛み合うことなく遊んでしまい、クサビとしての機能を果たせずピンに引抜けが生じる。
【０００７】
本発明は、かかる課題に鑑みなされたものであって、その主な目的は、メス金具に対してオス金具が偏心して挿入された場合にも、オス金具の引抜けを確実に防止可能な、セグメントのリング継手を提供することである。
【課題を解決するための手段】
【０００８】
かかる目的を達成するため本発明のリング継手は、セグメントのトンネル軸方向に向かい合う端面の一方に埋設されるメス金具と、前記向かい合う端面の他方からトンネル軸方向に突出して設置されるピンボルトを備えるオス金具と、よりなるリング継手であって、前記メス金具が、前記トンネル軸方向に延在する中空部を備える楔ケースと、該楔ケースの中空部に配置される複数の楔金物およびバックアップ材を備え、前記楔ケースの中空部は、前記セグメントの端面側に配置される先端部が、基端部より縮径されて中間部に傾斜面を備え、前記楔金物は、前記中空部に前記ピンボルトが挿入された状態で、該楔金物の外周面が前記傾斜面に接するとともに、該楔金物の内周面が前記ピンボルトに接し、かつ該楔金物が複数で前記ピンボルトを囲う位置に配置され、前記バックアップ材は、前記楔ケースと同心であって前記楔金物の基端部側に配置されるリング形状の弾性部材よりなり、前記先端部側にスリットが複数設けられることを特徴とする。
【０００９】
本発明のリング継手の製造方法によれば、バックアップ材にスリットを設けることにより、独立して弾性変形する割片が複数形成される。これにより、ピンボルトが楔ケースの中空部に挿入されることに伴って、複数の楔金物がバックアップ材側に移動すると、楔ケースに挿入されたピンボルトが同心となっているかもしくは偏心しているかに関わらず、独立して弾性変形する割片から楔金物に対して、それぞれ移動量に応じた反発力が作用される。
【００１０】
このため、すべての楔金物が割片を介して楔ケースの先端側に押し戻され、楔ケースの傾斜面とピンボルトの外周面との間に食い込む。したがって、複数の楔金物によるクサビ効果を十分機能させることができ、オス金具とメス金具を強固に固定し、リング継手に高い引張性能を発揮させることが可能となる。
【００１１】
本発明のリング継手は、前記スリットが、前記楔金物と同数以上設けられることを特徴とする。
【００１２】
本発明のリング継手によれば、スリットを楔金物と同数以上設けることにより、独立して弾性変形する割片も楔金物と同数以上に増加するため、楔金物それぞれに接触する割片の数が増加する。これにより、ピンボルトが楔ケースの中空部に挿入されることに伴って、複数の楔金物がバックアップ材側に移動すると、複数の楔金物には、それぞれの移動量に応じた反発力が、複数の割片から作用される。
【００１３】
したがって、例えば、１つの楔金物に接触する複数の割片のうち、１つが隣接する楔金物に跨って配置され、かつ、ピンボルトが楔ケースに挿入される際に両者が偏心し、複数の楔金物がそれぞれ異なる移動量にてバックアップ材側に移動しても、他の割片から複数の楔金物に対して、それぞれの移動量に応じた反発力を確実に作用させることが可能となる。
【００１４】
本発明のリング継手は、前記ピンボルトの外周面と前記楔金物の内周面に、粗面が形成されることを特徴とする。
【００１５】
本発明のリング継手によれば、ピンボルトに引抜き力が作用すると、ピンボルトの外周面に設けた粗面と楔金物の内周面に備えた粗面が噛み合い、ピンボルトと楔金物との間に、高い引抜き抵抗力を発生させることが可能となる。
【００１６】
本発明のリング継手は、前記傾斜面のテーパーが、１／５以上１／３以下であることを特徴とする。
【００１７】
本発明のリング継手によれば、楔ケースの傾斜面に楔部材の外周面をバックアップ材の反発力を介して効率よく押圧し、楔金物を楔ケースの傾斜面とピンボルトの外周面との間に確実に食い込ませることができるため、強固なクサビ効果を生じさせることが可能となる。
【発明の効果】
【００１８】
本発明によれば、バックアップ材にスリットを設け、独立して弾性変形する割片を形成し、この割片の反発力を楔金物に作用させることにより、楔ケースに内装されている複数の楔金物によるクサビ効果を確実に機能させて、オス金具をメス金具に強固に固定させることができ、リング継手に高い引張性能を発揮させることが可能となる。
【図面の簡単な説明】
【００１９】
【図１】本発明のリング継手の詳細を示す図である。
【図２】本発明のバックアップ材の詳細を示す図である。
【図３】本発明のリング継手によりセグメントを接続した状態を示す図である。
【図４】本発明のピンボルトを楔ケースに同心に挿入したリング継手の引張試験の手順を示す図である。
【図５】本発明のピンボルトを楔ケースに偏心させて挿入したリング継手の引張試験の手順を示す図である。
【図６】本発明のリング継手と比較するための比較用継手の楔ケースに、ピンボルトを偏心して挿入し、セグメントを接続した状態を示す図である。
【図７】本発明のピンボルトを楔ケースに偏心して挿入したリング継手によりセグメントを接続した状態を示す図である。
【図８】本発明のバックアップ材の他の事例を示す図である。
【発明を実施するための形態】
【００２０】
本発明のリング継手は、複数のセグメントをトンネル円周方向に接続してセグメントリングを形成し、このセグメントリングをトンネル軸方向に接続するための継手として用いられるものであり、セグメントのトンネル軸方向と直交する端面に設置されている。以下に、本発明のリング継手を、図１〜図８を用いて説明する。
【００２１】
図１で示すように、セグメント１の切羽側端面１１にはオス金具４、坑口側端面１２にはメス金具５がそれぞれ設置されている。なお、坑口側端面１２には、水膨張性の止水材２が所定の厚みをもって設置されている。
【００２２】
オス金具４は、周面に粗面４２を設けた円柱形状のピンボルト４１と、ピンボルト４１の基端部に設けられた雄ネジ部（図示せず）とを備えている。そして、この雄ネジ部が、セグメント１の切羽側端面１１に埋設されている、オス金具用アンカー部材６の雌ネジに螺合されることにより、オス金具４は、ピンボルト４１が切羽側端面１１からトンネル軸方向と平行に突出する態様で、セグメント１に設置される。
【００２３】
一方、メス金具５は、オス金具４のピンボルト４１が挿入される中空部を有する筒状かつ有底の楔ケース５１と、楔ケース５１に内装される複数の楔金物５２およびバックアップ材５３とを備えている。
【００２４】
楔ケース５１は、底部を有する基端部５１２から開口を有する先端部５１３に向けて中空部が漸次縮径する形状となるよう、その内周面に傾斜面５１１が形成されており、先端部５１３の内径は、基端部５１２の内径より小径に形成されている。そして、楔ケース５１は、先端部５１３が坑口側端面１２に配置されるとともに、中空部がトンネル軸方向に延在する態様で、基端部５１２側に設置されるメス金具用アンカー部材７とともに、セグメント１に埋設されている。
【００２５】
楔ケース５１の中空部に配置される複数の楔金物５２は、外周面が楔ケース５１の傾斜面５１１であって先端部５１３に接し、内径がオス金具４のピンボルト４１の外径より略小さい、外形状が円錐大台形状の筒状部材を、軸方向に複数分割した形状を有している。本実施の形態では、４つに分割して楔金物５２を４つ備える構成とし、その内周面にはそれぞれ、粗面５２１を形成している。また、楔金物５２は、楔ケース５１の軸心方向の長さが傾斜面５１１より短く形成されており、楔ケース５１の先端部５１と基端部５１２の間を、傾斜面５１１に沿って移動可能となっている。
【００２６】
楔金物５２と楔ケース５１の基端部５１２との間に設置されるバックアップ材５３は、図２で示すように、リング形状の弾性部材よりなり、一方の端面５３１から軸心方向に延びるスリット５３２が複数設けられている。本実施の形態では、スリット５３２を８つ設けているため、一方の端面５３１にはスリット５３２により分割された割片５３３が８つ形成されている。なお、スリット５３２の長さは、一方の端面５３１に押圧力が作用した際に、割片５３３が内側に倒れこむことがなく、かつ割片５３３がそれぞれ独立して弾性変形可能な長さに設定するとよい。
【００２７】
このような構成のバックアップ材５３は、図１で示すように、軸心が楔ケース５１の軸心と合致する状態で楔ケース５１の中空部に配置され、他方の端面５３４が基端部５１２に支持されるとともに、一方の端面５３１が複数の楔金物５２各々と接触している。このとき、バックアップ材５３の長さは、複数の楔金物５２が傾斜面５１１の先端部５１３側に位置し互いに側面を接した状態において、楔金物５２の基端部５１２側の端面と楔ケース５１の基端部５１２までの距離より、略長くなるよう形成されている。
【００２８】
これにより、バックアップ材５３は、楔ケース５１の中空部に収縮した状態で設置されるため、その反発力が楔金物５２に作用し、楔金物５２は楔ケース５１の傾斜面５１１に常時押付けられた状態となる。したがって、セグメント１の搬送時に何らかの衝撃等が作用しても、複数の楔金物５２は、傾斜面５１１の先端部５１３側に位置し、互いに側面を接した状態を維持することができる。
【００２９】
なお、本実施の形態では図２で示すように、４つの楔金物５２各々に対して割片５３３を２つずつ配置しているから、楔金物５２には、２つの割片５３３から反発力が作用される構成となっている。
【００３０】
上述する構成のリング継手３を用いて向かい合うセグメント１どうしを接続する際には、まず、メス金具５とオス金具４とを対向させて、ピンボルト４１と楔ケース５１を互いの軸心が同心となるように位置決めする。この状態で、セグメント１どうしを接続させる方向に押圧力を作用させる。
【００３１】
このとき、図１で示すように、複数の楔金物５２は、楔ケース５１の中空部で傾斜面５１１の先端部５１３側に位置し互いに側面を接した態様で配置されており、その内径がピンボルト４１の外径より略小さく形成されている。このため、ピンボルト４１は、複数の楔金物５２を伴いながら、楔ケース５１の中空部に徐々に挿入され、また、複数の楔金物５２はそれぞれ、楔ケース５１の傾斜面５１１に沿って基端部５１２に向かって移動しつつ、バックアップ材５３の割片５３３を押圧する。
【００３２】
すると、図３で示すように、複数の楔金物５２は、内周面がピンボルト４１に押し広げられて互いの側面間に隙間を生じるとともに、基端部５１２に向かって移動した移動量分だけ割片５３３から反発力が作用され、楔ケース５１の先端部５１３側に押し戻される。この状態からさらにセグメント１に押圧力を作用させ、止水材２が押し潰れるまで向かい合うセグメント１どうしを当接させると、複数の楔金物５２は、割片５３３の反発力によりその外周面を楔ケース５１の傾斜面５１１に、また、内周面をピンボルト４１に押し付けられて、楔ケース５１とピンボルト４１の間に食い込む。これにより、クサビ効果が発揮されてピンボルト４１は楔ケース５１に強固に固定されるため、リング継手３に高い引張性能が付与される。
【００３３】
なお、本実施の形態では、ピンボルト４１の周面に粗面４２を設けるとともに、楔金物５２の内周面に粗面５２１を設けている。こうすると、リング継手３に引張力が作用した際に、ピンボルト４１の粗面４２と楔金物５２の粗面５２１が相まって、この引張力に抵抗するため、リング継手３の引抜き抵抗力はより大きなものとなる。
【００３４】
これら粗面４２、５２１の形状はいずれでもよいが、例えば、ピンボルト４１が引抜き方向に移動しようした場合に、ピンボルト４１の粗面４２と楔金物５２の粗面５２１が互いに噛み合う鋸目形状の刃を設けると、両者の間に高い引抜き抵抗力を付与することができる。ただし、これら粗面４２、５２１は、必ずしも設けなくてもよい。
【００３５】
また、楔ケース５１の傾斜面５１１を有する部分のテーパー比は、発明者らが鋭意検討した結果、１／５以上１／３以下が好ましく、より好ましくは１/４との知見を得た。１/４に設定すると、バックアップ材５３の反発力を介して楔部材５２の外周面を楔ケース５１の傾斜面５１１に効率よく押圧できるため、楔金物５２を楔ケース５１の傾斜面５１１とピンボルト４１の外周面との間に効率よく食い込ませて、クサビ効果を確実に生じさせることが可能となる。なお、テーパーを１/５より小さくすると、メス金具５の楔ケース５１が長くなるため、経済性に劣る。また、テーパーを１/３より大きくすると、楔金物５２の楔ケース５１の傾斜面５１１とピンボルト４１の外周面との間への食い込みが不足して十分な拘束力が生じず、リング継手３に引張力が作用した際に、所望の引抜き抵抗力を得られない事態が起こりやすい。
【００３６】
上述するリング継手３の引張性能を確認するべく、リング継手３の引張試験を行った。引抜試験の手順は、図４で示すとおりである。
【００３７】
図４（ａ）で示すように、楔ケース５１の基端側に第２の治具９を設置し、ピンボルト４１と楔ケース５１の軸心を合致させた状態で圧縮試験機械Ｍに装着する。次に、図４（ｂ）で示すように、ピンボルト４１を楔ケース５１の中空部に挿入してリング継手３を形成する。そして、図４（ｃ）で示すように、ピンボルト４１の基端側にも第１の治具８を設置する。
【００３８】
この後、図４（ｄ）で示すように、圧縮試験機械Ｍを作動させ、上側に位置するピンボルト４１に設置した第１の治具８に鉛直上方向の荷重を作用させ、下側に位置する楔ケース５１に設置した第２の治具９に鉛直下方向の荷重を作用させる。こうして破壊状態となるまで、リング継手３に引張荷重を付与した。
【００３９】
引抜試験の結果、ピンボルト４１と楔ケース５１の目開き量が止水材２の膨張にて負担できる程度の小さいままに引張荷重が設計荷重を超え、十分な引張性能を有することが確認された。そして、最終破壊状態は、ピンボルト４１の破断であり、ピンボルト４１が楔ケース５１から抜け出る引抜けは発生しなかった。
【００４０】
このように、ピンボルト４１と楔ケース５１の軸心が合致している場合、図３で示すように、複数の楔金物５２はそれぞれ、ピンボルト４１により同量の移動量をもって楔ケース５１の基端部５１２に移動する。このため、割片５３３はすべて均等に収縮し、複数の楔金物５２各々に対して、同じ大きさの反発力を作用させることができる。したがって、複数の楔金物５２すべてが、同量の深さで楔ケース５１とピンボルト４１の間に食い込み、確実にクサビ効果が発揮される。
【００４１】
しかし、トンネル工事の現場状況によっては、ピンボルト４１と楔ケース５１の位置合わせを正確に行うことができず、ピンボルト４１が楔ケース５１に対して偏心した状態で挿入される事態が生じやすい。そこで、ピンボルト４１が楔ケース５１に対して偏心して挿入された場合のリング継手３の引張性能を確認するべく、リング継手３の引張試験を行った。その手順は、図５で示すとおりである。
【００４２】
図５（ａ）で示すように、ピンボルト４１の基端側に第１の治具８を設置するとともに、楔ケース５１の基端側に第２の治具９を設置し、第１の治具８に取り付けたボルト部材８１により、第２の治具９を介して楔ケース５１に水平力を作用させ、ピンボルト４１に対して楔ケース５１を偏心させる。この状態で圧縮試験機械Ｍに装着し、図５（ｂ）で示すように、ピンボルト４１を楔ケース５１の中空部に挿入して、図５（ｃ）で示すように、リング継手３を形成する。
【００４３】
この後、図５（ｄ）で示した引張荷重を作用させる方法は、上記の図４（ｄ）で示した方法と同様である。なお、リング継手３の効果と比較するべく、バックアップ材５３にスリット５３２を設けられていないものの、その他はすべてリング継手３と同様の構造を有する比較用継手を作成し、同様の方法により引張試験を実施した。
【００４４】
引張試験の結果、スリット５３２を設けないバックアップ材５３が内装された比較用継手の楔ケース５１に、ピンボルト４１を偏心させて挿入した場合、引張荷重が設計荷重に達する前に、破壊状態に至る比較用継手が散見された。これらの破壊状態は、ピンボルト４１が楔ケース５１から抜け出る引抜けやピンボルト４１の破断など、破壊状態も様々に異なっている。このように、バックアップ材５３にスリット５３２を設けない比較用継手は、設計荷重を満足しないだけでなく破壊状態も一貫性がないなど、安定した引張性能を得られないことが確認された。
【００４５】
なお、引抜けが生じたケースでは図６で示すように、ピンボルト４１が楔ケース５１に偏心した状態で挿入されると、楔金物５２各々でその移動量が異なることから、バックアップ材５３は、移動量の大きい楔金物５２の影響を受けて部分的に収縮し、一方の端面５３１全面が歪んで変形する。すると、移動量の少ない楔金物５２には、バックアップ材５３が接触せず、収縮により生じるバックアップ材５３の反発力を作用させることができない場合が生じる。これにより、遊びを生じる楔金物５２が発生し、クサビ効果を発揮できなかったものと想定できる。
【００４６】
一方、本実施の形態のリング継手３は、ピンボルト４１を同心となるように挿入した場合と比較して、ピンボルト４１と楔ケース５１の目開き量がやや大きいものの引張荷重は設計荷重を超え、十分な引張性能を有することが確認された。なお、最終破壊状態は、軸心を合致させた場合と同様のピンボルト４１の破断であり、ピンボルト４１がメス金具５から抜け出る引抜けは発生しなかった。
【００４７】
これは、図７で示すように、リング継手３では、複数の楔金物５２それぞれに独立して弾性変形する割片５３３が当接していることから、楔金物５２ごとで移動量に差が生じていても、楔金物５２にはそれぞれの移動量に応じた反発力が、複数の割片５３３から作用され、楔ケース５１の先端部５１３側に押し戻される。このため、複数の楔金物５２すべてが、楔ケース５１とピンボルト４１との間に食い込んでクサビ効果を十分機能させることができることに起因する。
【００４８】
上記のとおり、バックアップ材５３にスリット５３２を設けたリング継手３は、オス金具４のピンボルト４１がメス金具５の楔ケース５１に偏心した状態で挿入された場合にも、楔金物５２の一部に遊びが生じるといった事態を引き起こすことがなく、バックアップ材５３を介して楔金物５２によるクサビ効果を十分機能させることができる。これにより、オス金具４とメス金具５を強固に固定し、リング継手３に高い引張性能を発揮させることが可能となる。
【００４９】
なお、本発明のリング継手３は、上記実施形態に限定されるものではなく、本発明の趣旨を逸脱しない範囲で種々の変更が可能である。
【００５０】
例えば、本実施の形態では、楔金物５２を４つ、また、バックアップ材５３にスリット５３２を８本設けて割片５３３を８個形成し、４つの楔金物５２各々に対して割片５３３を２つずつ配置することにより、割片５３３の反発力が楔金物５２に確実に作用するよう配置している。しかし、楔金物５２の数量およびスリット５３２の数量は、必ずしもこれに限定されるものではなく、楔金物５２は少なくとも２つ以上、またスリット５３２は楔金物５２と同数以上設置されていればよい。
【００５１】
スリット５３２の数量を楔金物５２の数量より多くすると、独立して弾性変形する割片５３３の数量も楔金物５２より増加することから、楔金物５２各々に接触する割片５３３の数が増加する。これにより、１つの割片５３３が、異なる移動量にて楔ケース５１の基端側５１２に移動する２つの楔金物５２に跨って配置されても、２つの楔金物５２各々に接触している他の割片５３３がその反発力を確実に作用させる。これにより、楔金物５２に遊びを生じることがなく、複数の楔金物５２にて確実にクサビ効果を機能させることが可能となる。
【００５２】
また、本実施の形態では、図２で示すように、バックアップ材５３に設けたスリット５３２の形状をトンネル軸線と平行な長方形に形成しているが、必ずしもこれに限定されるものではない。例えば、スリット５３２を、割片５３３の形状が一方の端面５３１側の長さより他方の端面５３４側の長さが短い台形形状となるよう、形成してもよいし、これとは逆に、図８で示すように、割片５３３の形状が他方の端面５３４側の長さより一方の端面５３１側の長さが短い台形形状となるよう、設けてもよい。
【００５３】
このように、割片５３３の形状を一方の端面５３１側の長さが短い台形形状にすると、リング継手３にセグメント１どうしを接続させる方向の押圧力を作用させることによって、楔部材５２が移動することに伴って割片５３３各々が収縮して変形しても、隣り合う割片５３３どうしが干渉しあうことがない、もしくは干渉の度合いを小さくできる。このため、割片５３３の、独立して弾性変形しようとする挙動を阻害することがなく、また、割片５３３がバックアップ材５３の内側へ倒れこむこともない。これにより、割片５３３から楔金物５２に対して、楔金物５２それぞれの移動量に応じた反発力を確実に作用させることが可能となる。
【００５４】
さらに、本実施の形態では、オス金具用アンカー部材６およびメス金具用アンカー部材７に、アンカーボルトを採用しているが、必ずしもこれに限定されるものではなく、リング継手３に引張力が作用した際に、セグメント１からオス金具４およびメス金具５が抜け出すことのないようアンカー機能を発揮できる部材であれば、いずれを採用してもよい。
【符号の説明】
【００５５】
１      セグメント
１１    切羽側端面
１２    坑口側端面
２      止水材
３      リング継手
４      オス金具
４１    ピンボルト
４２    粗面
５      メス金具
５１    楔ケース
５１１  傾斜面
５１２  基端部
５１３  先端部
５２    楔金物
５２１  粗面
５３    バックアップ材
５３１  一方の端面
５３２  スリット
５３３  割片
５３４  他方の端面
６      オス金具用アンカー部材
７      メス金具用アンカー部材
８      第１の治具
８１    ボルト部材
９      第２の治具
Ｍ      圧縮試験機
【図１】
2018100500.tif 000003
【図２】
2018100500.tif 000004
【図３】
2018100500.tif 000005
【図４】
2018100500.tif 000006
【図５】
2018100500.tif 000007
【図６】
2018100500.tif 000008
【図７】
2018100500.tif 000009
【図８】
2018100500.tif 000010